(57)【要約】【課題】コピー機能、スキャナ機能、ファクシミリ機能を併せ持った画像形成装置において、機密画像の情報の漏洩を防ぎつつ、生産性低下や無駄な通信を可能な限り防止する。【解決手段】複合機１において、原稿読取部２と、原稿画像に機密パターンが含まれるか否かを判定する判定部４３２と、原稿画像に破壊パターンを挿入する破壊パターン挿入部４３３と、記録紙に画像を印刷する画像形成機構３と、原稿画像を外部機器に送信する通信部５と、原稿画像に機密パターンが含まれると判定部４３２が判定した場合、コピー機能実行時には、破壊パターン挿入部４３３によって破壊パターンが挿入された原稿画像を画像形成機構３に印刷させ、ファクシミリ機能又はスキャナ機能実行時には、通信部５１による外部への当該原稿画像の送信を行わせないコピー機能制御部４１、スキャナ機能制御部４２１及びファクシミリ機能制御部４２２とを備える。【選択図】図２
2009010744.tif 000002
【特許請求の範囲】
【請求項１】
コピー機能、ファクシミリ機能、スキャナ機能を備えた画像形成装置であって、
原稿から原稿画像を読み取る画像読取手段と、
前記画像読取手段により読み取られた原稿画像に、当該原稿画像が機密画像であることを示す予め定められた機密パターンが含まれるか否かを判定する判定手段と、
原稿画像に破壊パターンを挿入して、原稿画像を破壊する破壊パターン挿入手段と、
記録紙に画像を印刷する印刷手段と、
前記画像読取手段によって読み取られた原稿画像を外部機器に送信する送信手段と、
前記画像読取手段によって読み取られた原稿画像に前記機密パターンが含まれると前記判定手段が判定した場合、コピー機能実行時には、前記破壊パターン挿入手段によって破壊パターンが挿入された原稿画像を前記印刷手段に印刷させ、ファクシミリ機能又はスキャナ機能実行時には、前記送信手段による外部への当該原稿画像の送信を行わせない制御手段と
を備える画像形成装置。
【請求項２】
前記画像読取手段は、複数ページの原稿についての各原稿画像を読み取り、
前記各原稿画像を記憶する記憶手段を更に備え、
前記制御手段は、ファクシミリ機能又はスキャナ機能実行時には、前記画像読取手段によって読み取られた各原稿画像を前記記憶手段に蓄積させておき、当該各原稿画像の全てに機密パターンが含まれないと前記判定手段によって判定された後に、前記記憶手段に蓄積されている全ての原稿画像を前記通信手段に通信させる請求項１に記載の画像形成装置。
【請求項３】
前記送信手段による原稿画像の送信を行わせない第１モードと、送信対象となる原稿画像のうち、前記機密パターンを含まない原稿画像のみを前記送信手段に送信させる第２モードと、前記機密パターンを含む原稿画像に対しては前記破壊パターンを挿入した上で各原稿画像を前記送信手段に送信させる第３モードとを記憶するモード記憶手段と、
前記モード記憶手段に記憶されているモードのいずれかを選択する指示が操作者から入力される指示入力手段とを更に備え、
前記制御手段は、スキャナ機能実行時に、前記画像読取手段によって読み取られた原稿画像に前記機密パターンが含まれると前記判定手段が判定した場合、前記モード記憶手段に記憶されている第１乃至第３モードのうち、前記指示入力手段に入力された指示が示すモードを実行する請求項１又は請求項２に記載の画像形成装置。
【請求項４】
操作者に対して警告を報知する報知手段を更に備え、
前記制御手段は、ファクシミリ機能の実行時に、前記画像読取手段によって読み取られた原稿画像に前記機密パターンが含まれると前記判定手段が判定した場合、前記報知手段に警告の報知を行わせる請求項１乃至請求項３のいずれかに記載の画像形成装置。
【発明の詳細な説明】
【技術分野】
【０００１】
本発明は、コピー機能、スキャナ機能、ファクシミリ機能を併せ持った画像形成装置に関し、特に、機密文書の漏洩を防止する技術に関する。
【背景技術】
【０００２】
従来から、コピー機能、スキャナ機能、ファクシミリ機能を併せ持った画像形成装置、いわゆる複合機には、原稿に印刷されている機密情報の漏洩を防止する技術の採用が求められている。例えば、特許文献１に示されるように、原稿上の画像に、当該画像が機密情報であることを示す機密パターンを含ませておき、原稿画像読取時に原稿画像から機密パターンが検出された場合には、原稿画像の出力を禁止する技術が提案されている。また、特許文献２では、原稿画像から機密パターンが検出された場合に、原稿画像の内容を破壊する破壊パターンを原稿画像に挿入することで情報の漏洩を防ぐ技術が提案されている。
【特許文献１】特開２００４−２７４０９２号公報
【特許文献２】特開２００６−１７３７５７号公報
【発明の開示】
【発明が解決しようとする課題】
【０００３】
しかしながら、上記特許文献１に示される技術のように、機密パターン検出時に出力対象の原稿画像の全ての出力を禁止し、これら全ての原稿画像が機密パターンを含まないことが判明した後に原稿画像を出力する制御を行うには、出力対象となる原稿画像を全て一旦メモリに蓄積する必要があるため、出力許可時における出力開始タイミングが遅れてリアルタイムに出力できず、生産性が低下する。また、特許文献２に示される技術の場合、スキャナ機能又はファクシミリ機能の実行時に破壊パターンの挿入を行うので、破壊パターンが挿入された原稿画像が送信されることで送信相手先において混乱を生じたり、不要なデータが送信されることでネットワークに負担が生じたりする。
【０００４】
本発明は、この点に鑑みてなされたものであり、コピー機能、スキャナ機能、ファクシミリ機能を併せ持った画像形成装置において、機密画像の情報の漏洩を防ぎつつ、生産性低下や無駄な通信を可能な限り防止することを目的とする。
【課題を解決するための手段】
【０００５】
請求項１記載の複発明は、コピー機能、ファクシミリ機能、スキャナ機能を備えた画像形成装置であって、
原稿から原稿画像を読み取る画像読取手段と、
前記画像読取手段により読み取られた原稿画像に、当該原稿画像が機密画像であることを示す予め定められた機密パターンが含まれるか否かを判定する判定手段と、
原稿画像に破壊パターンを挿入して、原稿画像を破壊する破壊パターン挿入手段と、
記録紙に画像を印刷する印刷手段と、
前記画像読取手段によって読み取られた原稿画像を外部機器に送信する送信手段と、
前記画像読取手段によって読み取られた原稿画像に前記機密パターンが含まれると前記判定手段が判定した場合、コピー機能実行時には、前記破壊パターン挿入手段によって破壊パターンが挿入された原稿画像を前記印刷手段に印刷させ、ファクシミリ機能又はスキャナ機能実行時には、前記送信手段による外部への当該原稿画像の送信を行わせない制御手段と
を備えるものである。
【０００６】
この構成であれば、コピー機能実行時には、原稿画像に前記機密パターンが含まれていることが判定手段によって判定されると、制御手段が、破壊パターンが挿入された原稿画像を印刷する制御を行うので、印刷対象とされる原稿画像をメモリに全て蓄積し終えなくても、各原稿画像が画像読取手段によって読み取られる度に、読み取られた原稿画像の印刷、又は破壊パターンを挿入した上での原稿画像の印刷が可能であるため、機密画像の情報の漏洩を防ぎつつ、印刷タイミングの遅れも生じないので生産性低下を防止できる。また、ファクシミリ機能又はスキャナ機能実行時には、原稿画像に機密パターンが含まれると判定手段によって判定されると、制御手段が、送信手段による外部への当該原稿画像の送信を行わせないので、機密画像の情報の漏洩を防ぎつつ、相手先に破壊パターンを含む画像が送信されるという無駄な通信をなくすことができる。
【０００７】
請求項２記載の発明は、請求項１に記載の画像形成装置であって、前記画像読取手段は、複数ページの原稿についての各原稿画像を読み取り、
前記各原稿画像を記憶する記憶手段を更に備え、
前記制御手段は、ファクシミリ機能又はスキャナ機能実行時には、前記画像読取手段によって読み取られた各原稿画像を前記記憶手段に蓄積させておき、当該各原稿画像の全てに機密パターンが含まれないと前記判定手段によって判定された後に、前記記憶手段に蓄積されている全ての原稿画像を前記通信手段に通信させるものである。
【０００８】
この構成によれば、ファクシミリ機能又はスキャナ機能実行時に、制御手段が、各原稿画像に機密パターンが含まれるか否かの判定結果に応じて、記憶手段に記憶されている原稿画像の全てについて、通信手段に通信させるか、当該通信を禁止するかを使い分けるという制御が可能になる。これにより、機密パターンが含まれる原稿画像の送信を禁止して情報漏洩を防止しつつ、相手先に破壊パターンが含まれる原稿画像も送信されないようにすることが可能になる。
【０００９】
請求項３記載の発明は、請求項１又は請求項２に記載の画像形成装置であって、前記送信手段による原稿画像の送信を行わせない第１モードと、送信対象となる原稿画像のうち、前記機密パターンを含まない原稿画像のみを前記送信手段に送信させる第２モードと、前記機密パターンを含む原稿画像に対しては前記破壊パターンを挿入した上で各原稿画像を前記送信手段に送信させる第３モードとを記憶するモード記憶手段と、
前記モード記憶手段に記憶されているモードのいずれかを選択する指示が操作者から入力される指示入力手段とを更に備え、
前記制御手段は、スキャナ機能実行時に、前記画像読取手段によって読み取られた原稿画像に前記機密パターンが含まれると前記判定手段が判定した場合、前記モード記憶手段に記憶されている第１乃至第３モードのうち、前記指示入力手段に入力された指示が示すモードを実行するものである。
【００１０】
スキャナ機能実行時は、原稿画像の送信先が、操作者自身のパーソナルコンピュータや操作者に身近な関係者のパーソナルコンピュータであることが多く、破壊パターンが挿入された原稿画像や、破壊パターンを含む原稿画像以外の原稿画像からなる複数頁のデータ（すなわち、ページ抜けの複数頁データ）が送信されても、原稿画像の送信相手先に与える弊害が少ないため、この場合には、操作者による選択に応じて、制御手段が、送信手段による原稿画像の送信を行わせない第１モードと、送信対象となる原稿画像のうち、機密パターンを含まない原稿画像のみを送信手段に送信させる第２モードと、機密パターンを含む原稿画像に対して破壊パターンが挿入された原稿画像を送信手段に送信させる第３モードのいずれかを選択的に実行することで、操作者の原稿画像取り扱い時の利便性を向上させることができる。
【００１１】
請求項４に記載の発明は、請求項１乃至請求項３のいずれかに記載の画像形成装置であって、操作者に対して警告を報知する報知手段を更に備え、
前記制御手段は、ファクシミリ機能の実行時に、前記画像読取手段によって読み取られた原稿画像に前記機密パターンが含まれると前記判定手段が判定した場合、前記報知手段に警告の報知を行わせるものである。
【００１２】
この構成によれば、ファクシミリ機能の実行時において原稿画像に機密パターンが含まれている場合に、相手先に送信すべき原稿が送信されなくなった状況を操作者に認識させることができる。
【発明の効果】
【００１３】
本発明によれば、コピー機能、スキャナ機能、ファクシミリ機能を併せ持った画像形成装置において、実行する各機能に応じて異なる制御を行うことで、機密画像の情報の漏洩を防ぎつつ、生産性低下や無駄な通信を可能な限り防止することができる。
【発明を実施するための最良の形態】
【００１４】
以下、本発明の一実施形態に係る画像形成装置について図面を参照して説明する。図１は、本発明に係る画像形成装置の一実施形態である複合機１を概略的に示すブロック図である。
【００１５】
複合機１は、コピー機能、ファクシミリ機能、スキャナ機能、プリンタ機能を備える画像形成装置である。複合機１は、原稿読取部２と、画像形成機構３と、制御装置４と、通信部５と、操作パネル６を備える。原稿読取部２は、特許請求の範囲の記載における「画像読取手段」の一例である。また、画像形成機構３は「印刷手段」の一例であり、通信部５は「通信手段」の一例であり、操作パネル６は「報知手段」の一例である。
【００１６】
原稿読取部２は、自動原稿給紙ユニット（Auto Document Feeder）２１と、スキャナユニット２２とを備える。自動原稿給紙ユニット２１は、操作者によりセットされた原稿を１枚ずつスキャナユニット２２に通紙する。スキャナユニット２２は、自動原稿給紙ユニット２１によって通紙される原稿上の画像を読み取り、１枚の原稿の読み取りを終える毎に、読み取った原稿画像を制御装置４に送信する。
【００１７】
画像形成機構３は、給紙カセットに積載された記録紙を搬送する搬送路により搬送される記録紙に画像形成を行う感光体ドラム等を有する画像形成部３１と、画像が形成された記録紙を加熱し、画像形成部により形成された画像を記録紙に定着させる定着部３２等を備える。
【００１８】
図２は、複合機１の詳細な構成を示すブロック図である。通信部５は、複合機１とネットワーク接続されたパーソナルコンピュータ（以下、ＰＣ）７、又は公衆回線を介してファクシミリ装置８と通信する通信装置である。通信部５は、ＬＡＮ通信部５１と、ファクシミリ通信部５２とを備える。
【００１９】
ＬＡＮ通信部５１は、ＬＡＮ等のネットワークにより複合機１に接続されたＰＣ７と通信するための機能を備える。ファクシミリ通信部５２は、公衆回線を介して外部のファクシミリ装置８とファクシミリ通信するための機能を備える。ファクシミリ通信部５２は、たとえばＧ４規格などの、ファクシミリ通信を行う規格の伝送方式によりファクシミリ送信を行う。
【００２０】
操作パネル６は、液晶表示部、この液晶表示部に設けられたタッチパネルなどを備え、操作者による操作に基づいて、操作者からの指示の入力を受け付けると共に、操作者に対する各種操作案内情報を表示する。
【００２１】
制御装置（制御手段）４は、たとえばプログラム内蔵方式や結線論理方式などの各種方式を利用して構成されたコンピュータ等からなる情報処理装置であり、複合機１各部の動作を制御する。
【００２２】
制御装置４は、コピー機能制御部４１と、スキャナ機能制御部４２１と、モード記憶部４２１ａと、ファクシミリ機能制御部４２２と、画像処理部４３と、報知制御部４４と、機能切替部４５とを備える。
【００２３】
コピー機能制御部４１、スキャナ機能制御部４２１、ファクシミリ機能制御部４２２、及び報知制御部４４は、特許請求の範囲における「制御手段」の一例である。モード記憶部４２１ａは、特許請求の範囲における「モード記憶手段」の一例である。また、判定部４３２、破壊パターン挿入部４３３、記憶部４３１は、それぞれ、特許請求の範囲における「判定手段」、「破壊パターン挿入手段」、「記憶手段」の一例である。
【００２４】
コピー機能制御部４１は、コピー機能を実行する場合に、複合機１各部の動作を制御する。コピー機能制御部４１は、原稿読取部２により読み取られて画像処理部４３で画像処理を終えた原稿画像を、画像形成機構３により記録紙に印刷させる。
【００２５】
スキャナ機能制御部４２１は、スキャナ機能を実行する場合に、複合機１各部の動作を制御する。スキャナ機能制御部４２１は、原稿読取部２により読み取られて画像処理部４３で画像処理を終えた原稿画像を、通信部５１のＬＡＮ通信部５１によってＰＣ７に送信させる。
【００２６】
ファクシミリ機能制御部４２２は、ファクシミリ機能を実行する場合に、複合機１各部の動作を制御する。ファクシミリ機能制御部４２２は、原稿読取部２により読み取られて画像処理部４３で画像処理を終えた原稿画像を、通信部５１のファクシミリ通信部５２によってファクシミリ装置８にファクシミリ送信させる。
【００２７】
画像処理部４３は、原稿読取部２により読み取られた原稿画像に対して、例えば、ぼかし、エッジの強調、エッジ抽出、膨張処理又は縮小処理による雑音処理、モザイク処理等の画質を向上させる各種の画像処理を行う。また、画像処理部４３は、記憶部４３１と、判定部４３２と、破壊パターン挿入部４３３とを備える。
【００２８】
記憶部４３１は、原稿読取部２によって読み取られた原稿画像を一時的に記憶する。たとえば、記憶部４３１は、ＲＡＭや、ＨＤＤ、フラッシュＲＡＭなどで構成される。
【００２９】
判定部４３２は、画像処理部４３に入力される原稿画像が機密パターンを含む画像であるか否かを判定する。この機密パターンとは、原稿上に形成された画像の中に埋め込まれている潜像である。例えば、機密パターンである潜像部分と、それ以外の背景部分とに、種類の異なるディザパターンをそれぞれ使用し、一方のパターン密度を画像形成装置による原稿読み取り時の分解能を上回るパターン密度とし、他方を画像形成装置による原稿読み取り時の分解能以下のパターン密度とする。このとき、これら両パターン密度は、原稿の原本を見ても人には機密パターンを視認することは不可能であるが、画像形成装置のスキャナ等により原稿を光学的に読み取った場合に機密パターンが判別される密度差を有している。これにより、当該原稿をスキャナで読み取ることで機密パターンが検出される。判定部４３２は、上記読み取られた原稿画像の画像データに、予め定められた機密パターンに一致する画像パターンのデータが含まれているかを判断し、密パターンに一致する画像パターンのデータが含まれている場合に、当該原稿画像が機密パターンを含むと判定する。
【００３０】
破壊パターン挿入部４３３は、原稿画像に、予め定められた破壊パターンを挿入する。当該破壊パターンとは、予め定められた所定の画像（黒ベタ画像、或いは意味を成さない抽象的な画像等）である。破壊パターン挿入部４３３は、原稿画像を、当該破壊パターンが示す画像に置き換えることで、原稿画像をそれまでの内容とは異なる内容に変更することで、当該原稿画像を破壊する。
【００３１】
報知制御部４４は、操作パネル６に、操作者に対する警告を報知させるものである。
【００３２】
モード記憶部４２１ａは、スキャナ機能実行時に、原稿画像に機密パターンが含まれるか否かに応じて選択的に実行される第１乃至第３モードからなる原稿画像の送信方法を記憶している。モード記憶部４２１ａは、ＬＡＮ通信部５１による原稿画像の送信を行わせない第１モードと、送信対象となる原稿画像のうち機密パターンを含まない原稿画像のみをＬＡＮ通信部５１に送信させる第２モードと、機密パターンを含む原稿画像に対しては破壊パターンを挿入した上で各原稿画像をＬＡＮ通信部５１に送信させる第３モードとを記憶している。
【００３３】
機能切替部４５は、操作者から操作パネル６に入力された指示が、コピー機能、スキャナ機能、ファクシミリ機能のいずれの実行指示であるかに応じて、コピー機能制御部４１と、スキャナ機能制御部４２１と、ファクシミリ機能制御部４２２のいずれに複合機１各部の制御を行わせるかを切り替える。
【００３４】
次に、複合機１による各機能実行時における動作を説明する。図３は、複合機１の動作を示すフローチャートである。制御装置４の機能切替部４５は、操作者から操作パネル６に入力された指示が、コピー機能、スキャナ機能、ファクシミリ機能のいずれの実行指示であるかに応じて、コピー機能制御部４１と、スキャナ機能制御部４２１と、ファクシミリ機能制御部４２２のいずれに複合機１各部の制御を行わせるかを切り替える（Ｓ１）。
【００３５】
すなわち、操作者から操作パネル６に入力された指示がコピー機能である場合（Ｓ１で「コピー機能」）、コピー機能制御部４１が、複合機１各部の動作制御によりコピー機能を実行させる（Ｓ２）。操作者から操作パネル６に入力された指示がファクシミリ機能である場合（Ｓ１で「ファクシミリ機能」）、ファクシミリ機能制御部４２２が、複合機１各部の動作制御によりファクシミリ機能を実行させる（Ｓ３）。操作者から操作パネル６に入力された指示がスキャナ機能である場合（Ｓ１で「スキャナ機能」）、スキャナ機能制御部４２１が、複合機１各部の動作制御によりスキャナ機能を実行させる（Ｓ３）。
【００３６】
図４は、複合機１によるコピー機能実行時の処理を示すフローチャートである。図５は破壊パターン挿入部による原稿画像破壊処理を示す図である。
【００３７】
コピー機能実行時には、コピー機能制御部４１が、原稿読取部２に、自動原稿給紙ユニット２１にセットされている各原稿の第１枚目をスキャナユニット２２で読み取らせる（Ｓ２１）。読み取られた当該第１枚目の原稿画像は、制御装置４における図略のメモリに一時的に記憶される。
【００３８】
上記第１枚目の原稿の読み取り後、判定部４３２は、当該読み取られた原稿の原稿画像に、機密パターンが含まれるか否かを判定する（Ｓ２２）。
【００３９】
判定部４３２によって、上記読み取られた原稿の原稿画像に、機密パターンが含まれないと判定された場合（Ｓ２３でＮＯ）、破壊パターン挿入部４３３は当該原稿画像に対する破壊パターンの挿入を行わず、コピー機能制御部４１は、画像形成機構３に当該原稿画像そのものの印刷を行わせる（Ｓ２４）。
【００４０】
他方、判定部４３２によって、上記読み取られた原稿の原稿画像に機密パターンが含まれると判定された場合（Ｓ２３でＹＥＳ）、破壊パターン挿入部４３３が当該原稿画像に対して破壊パターンを挿入する。すなわち、図５に示すように、破壊パターン挿入部４３３によって、当該原稿画像が破壊パターンが示す画像に置き換えられる。この後、コピー機能制御部４１は、当該破壊パターンに置き換えられた画像を、画像形成機構３に印刷させる（Ｓ２５）。
【００４１】
上記Ｓ２４又はＳ２７の処理後、コピー機能制御部４１は、原稿読取部２に設けられている原稿検出センサ等からの信号に基づいて、原稿読取部２にセットされている原稿が残っているかを判断し、原稿読取部２に原稿が残っている場合は（Ｓ２５でＹＥＳ）、処理をＳ２１に戻す。この場合、次の原稿の原稿画像を、上記メモリに記憶されているそれまでの原稿に上書きする。また、原稿読取部２に原稿が残っていない場合は（Ｓ２５でＮＯ）、処理を終了する。
【００４２】
図６は、複合機１によるスキャナ機能実行時の処理を示すフローチャートである。スキャナ機能実行時には、スキャナ機能制御部４２１が、原稿読取部２に、自動原稿給紙ユニット２１にセットされている各原稿の第１枚目をスキャナユニット２２で読み取らせる（Ｓ３１）。読み取られた当該第１枚目の原稿画像は、制御装置４における図略のメモリに蓄積される。
【００４３】
上記第１枚目の原稿の読み取り後、判定部４３２によって、上記読み取られた原稿の原稿画像に、機密パターンが含まれないと判定された場合（Ｓ３２，Ｓ３３でＮＯ）、スキャナ機能制御部４２１は、原稿読取部２に原稿が残っている場合は（Ｓ３４でＹＥＳ）、処理をＳ３１に戻し、次の原稿の読取を原稿読取部２に行わせる。
【００４４】
一方、判定部４３２によって、上記読み取られた原稿の原稿画像に、機密パターンが含まれると判定された場合（Ｓ３２，Ｓ３３でＹＥＳ）、スキャナ機能制御部４２１は、操作者による操作パネル６の操作で入力された指示の内容に基づいて、モード記憶部４２１ａに記憶されている上述した第１乃至第３モードのいずれを実行するかを判断する（Ｓ３６，Ｓ３７）。当該操作者による指示は、(1)判定部４３２によって、上記読み取られた原稿の原稿画像に機密パターンが含まれると判定された時に、スキャナ機能制御部４２１が、操作パネル６の液晶表示部に、操作者に対して上記第１乃至第３モードのいずれを選択するかの指示の入力を促す旨のメッセージを表示させ、スキャナ機能制御部４２１は、このメッセージ表示後に操作者によって操作パネル６に入力された指示に基づいて、第１乃至第３モードのいずれを実行するかを判断してもよいし、(2) スキャナ機能制御部４２１が、操作者からの当該第１乃至第３モードのいずれを選択するかの指示の入力を予め受け付けてモード記憶部４２１ａに記憶させておき、判定部４３２によって、上記読み取られた原稿の原稿画像に機密パターンが含まれると判定された時に、モード記憶部４２１ａに記憶されている上記指示の内容に基づいて、第１乃至第３モードのいずれを実行するかを判断してもよい。
【００４５】
上記操作者による指示が第１モードである場合、すなわち、ＬＡＮ通信部５１による原稿画像の送信を行わせないモードの実行を示す場合は（Ｓ３６でＹＥＳ）、スキャナ機能制御部４２１は、当該スキャナ機能実行のジョブをキャンセルする（Ｓ４０）。すなわち、スキャナ機能制御部４２１は、判定部４３２によって、上記読み取られた原稿の原稿画像に、機密パターンが含まれると判定された時点で、当該スキャナ機能実行のジョブをキャンセルして、原稿読取動作を中止させ、上記メモリに蓄積されている全てのページの原稿画像についてのＬＡＮ通信部５１による送信を行わせることなく、処理を終了する。
【００４６】
また、上記操作者による指示が第２モードである場合、すなわち、送信対象となる原稿画像のうち、機密パターンを含まない原稿画像のみをＬＡＮ通信部５１に送信させるモードの実行を示す場合は（Ｓ３６でＮＯ，Ｓ３７でＹＥＳ）、スキャナ機能制御部４２１は、記憶部４３１から、機密パターンを含む当該原稿画像を除去する（Ｓ３９）。この場合、スキャナ機能制御部４２１は、当該原稿画像よりも前に読み取られてメモリに蓄積されている原稿画像はそのまま保持する。また、処理がＳ３１に戻って、次の原稿の画像が読み取られた場合には、スキャナ機能制御部４２１は、読み取られた原稿画像を、機密パターンを含まないことを条件にメモリに蓄積する。当該Ｓ３９の後、処理はＳ３４に移る。
【００４７】
また、上記操作者による指示が第３モードである場合、すなわち、機密パターンを含む原稿画像に対しては破壊パターンを挿入した上で各原稿画像をＬＡＮ通信部５１に送信させるモードの実行を示す場合は（Ｓ３７でＮＯ）、破壊パターン挿入部４３３が、機密パターンを含む当該原稿画像に対して破壊パターンからなる画像を挿入して、機密パターンを含む当該原稿画像を、破壊パターンからなる画像に置き換える（Ｓ３８）。この場合、スキャナ機能制御部４２１は、当該原稿画像よりも前に読み取られて既にメモリに蓄積されている原稿画像はそのまま保持し、当該機密パターンを含む原稿画像のみを破壊パターンからなる画像に置き換えてメモリに蓄積する。また、処理がＳ３１に戻って、次の原稿の画像が読み取られた場合には、スキャナ機能制御部４２１は、読み取られた原稿画像を、機密パターンを含まないことを条件にメモリに蓄積する。当該Ｓ３９の後、処理はＳ３４に移る。
【００４８】
上記ＳＳ３３でＮＯ，Ｓ３８，Ｓ３９の処理後、スキャナ機能制御部４２１は、原稿読取部２に原稿が残っている場合は（Ｓ３４でＹＥＳ）、処理をＳ３１に戻す。一方、原稿読取部２に原稿が残っていない場合（Ｓ３４でＮＯ）、スキャナ機能制御部４２１は、記憶部４３１に記憶されている全ての原稿画像をＬＡＮ通信部５１によりＰＣ７に送信させる（Ｓ３５）。なお、当該送信後、スキャナ機能制御部４２１は、メモリに蓄積されている全ての原稿画像データを消去する。
【００４９】
上記Ｓ３５の処理を更に詳細に説明する。図７（Ａ）（Ｂ１ａ）（Ｂ１ｂ）（Ｂ２）は、スキャナ機能の実行時に複合機１が複数の原稿画像Ａ〜ＥをＬＡＮ通信部５１により通信させる通信結果を示す図である。
【００５０】
図７では、（Ａ）（Ｂ１ａ）（Ｂ１ｂ）（Ｂ２）においては、それぞれ、上段に、原稿読取部２による読取対象となる５枚の原稿の原稿画像Ａ〜Ｅを示し、また、下段に、当該５つの原稿画像Ａ〜Ｅのうちで複合機１がＬＡＮ通信部５１により通信させる原稿画像を示している。
【００５１】
原稿読取部２に読み取られた原稿画像Ａ〜Ｅのいずれも機密パターンを含まなかった場合、各原稿画像の読取時における図６のＳ３３の判断では、全ての原稿画像についてＳ３４に進むので、図７（Ａ）下段に示すように、スキャナ機能制御部４２１は、ＬＡＮ通信部５１に、５枚の原稿画像Ａ〜Ｅの全てについて、上段の原稿読取部２により読み取られた原稿画像をそのままパソコン７に送信させる。
【００５２】
また、原稿読取部２に読み取られた原稿画像Ａ〜Ｅのいずれかに機密パターンを含む場合であって、上記操作者による指示が第１モードである場合、すなわち、ＬＡＮ通信部５１による原稿画像の送信を行わせない場合は（Ｓ３６でＹＥＳ）、例えば、原稿画像Ｃに機密パターンが含まれているとすると、スキャナ機能制御部４２１は、その時点で、原稿読取部２による原稿読取動作を中止させると共に、図７（Ｂ２）に示すように、この時点で既にメモリに蓄積されている原稿画像Ａ，Ｂ，Ｃの全てについてのＬＡＮ通信部５１による送信を行わせない。
【００５３】
また、原稿読取部２に読み取られた原稿画像Ａ〜Ｅのいずれかに機密パターンを含む場合であって、上記操作者による指示が第２モードである場合、すなわち、送信対象となる原稿画像のうちで機密パターンを含まない原稿画像のみをＬＡＮ通信部５１に送信させるモードの実行を示す場合は（Ｓ３６でＮＯ，Ｓ３７でＹＥＳ）、例えば、原稿画像Ｃに機密パターンが含まれているとすると、スキャナ機能制御部４２１は、スキャナ機能制御部４２１は、記憶部４３１から、機密パターンを含む当該原稿画像を除去しつつ（Ｓ３９）、この時点で既にメモリに蓄積されている原稿画像Ａ，Ｂはそのまま保持する。そして、この後、スキャナ機能制御部４２１は、機密パターンを含まない原稿画像Ｄ，Ｅもメモリに蓄積させ、原稿画像Ｅがメモリに蓄積された時点で、ＬＡＮ通信部５１に、これら蓄積されている原稿画像Ａ，Ｂ，Ｄ，Ｅを、パソコン７に送信させる。すなわち、この場合、図７（Ｂ１ｂ）に示すように、機密パターンを含む原稿画像Ｃが除去されてページを詰めた原稿画像Ａ，Ｂ，Ｄ，Ｅからなる原稿画像データがＬＡＮ通信部５１の送信対象とされる。
【００５４】
また、原稿読取部２に読み取られた原稿画像Ａ〜Ｅのいずれかに機密パターンを含む場合であって、上記操作者による指示が第３モードである場合、機密パターンを含む原稿画像に対して破壊パターンを挿入した原稿画像をＬＡＮ通信部５１に送信させるモードの実行を示す場合は（Ｓ３７でＮＯ）、例えば、原稿画像Ｃに機密パターンが含まれているとすると、破壊パターン挿入部４３３が、当該原稿画像Ｃに対して破壊パターンの画像を挿入して、機密パターンを含む当該原稿画像を破壊パターンからなる画像に置き換える（Ｓ３８）。スキャナ機能制御部４２１は、ＬＡＮ通信部５１に、原稿画像Ａ乃至Ｅの全ての読取がおわった時点で、図７（Ｂ１ａ）に示すように、メモリに蓄積されている、読み取ったそのままの画像からなる原稿画像Ａ，Ｂ，Ｄ，Ｅと、破壊パターンからなる画像に置き換えられた原稿画像Ｃｄをパソコン７に送信させる。
【００５５】
図８は、複合機１によるファクシミリ機能実行時の処理を示すフローチャートである。ファクシミリ機能実行時には、ファクシミリ機能制御部４２２が、原稿読取部２に、自動原稿給紙ユニット２１にセットされている各原稿の第１枚目をスキャナユニット２２で読み取らせる（Ｓ４１）。読み取られた当該第１枚目の原稿画像は、制御装置４における図略のメモリに蓄積される。
【００５６】
上記第１枚目の原稿の読み取り後、判定部４３２によって、上記読み取られた原稿の原稿画像に、機密パターンが含まれないと判定された場合（Ｓ４２，Ｓ４３でＮＯ）、ファクシミリ機能制御部４２２は、原稿読取部２に原稿が残っている場合は（Ｓ４４でＹＥＳ）、処理をＳ４１に戻し、次の原稿の読取を原稿読取部２に行わせる。
【００５７】
一方、判定部４３２によって、上記読み取られた原稿の原稿画像に、機密パターンが含まれると判定された場合（Ｓ４２，Ｓ４３でＹＥＳ）、ファクシミリ機能制御部４２２は、当該ファクシミリ機能実行のジョブをキャンセルする（Ｓ４６）。そして、報知制御部４４は、操作パネル６の液晶表示部に、原稿読取部２で読み取られた原稿画像が相手先ファクシミリ装置に送信されない旨のメッセージを表示させる（Ｓ４７）。Ｓ４７の後、ファクシミリ機能制御部４２２は、処理を終了させる。
【００５８】
なお、原稿読取部２に原稿が残っていない場合（Ｓ４４でＮＯ）、ファクシミリ機能制御部４２２は、記憶部４３１に記憶されている全ての原稿画像をファクシミリ通信部５２により相手先ファクシミリ装置８に送信させる（Ｓ４５）。
【００５９】
本発明は上記実施の形態の構成に限られず種々の変形が可能である。例えば、複合機１には複数のＰＣ７が接続されているような場合に、スキャナ機能制御部４２１が、原稿画像の送信相手先に応じて上記第１乃至第３モードのいずれかを選択的に実行するようにしてもよい。この場合、モード記憶部４２１ａに、各送信相手先毎に第１乃至第３モードのいずれかを対応付けて記憶しておき、スキャナ機能実行時に、判定部４３２によって、上記読み取られた原稿の原稿画像に機密パターンが含まれると判定されると（Ｓ３２，Ｓ３３でＹＥＳ）、スキャナ機能制御部４２１が、操作者による操作パネル６の操作で指示された送信相手先に応じたモードをモード記憶部４２１ａから読み出し、第１乃至第３モードのいずれかを実行させるようにする。これにより、スキャナ送信時の画像データ送信先に応じて（例えば、ページ抜けの原稿画像が送られてきたり、破壊されたページを有する原稿画像が送られてきたりしても対応できる相手先又は失礼にならない相手先か否か等）、画像データの送信方法を切り替えることが可能になる。
【００６０】
なお、上記図１乃至図８に示した実施形態に係る構成及び処理は、本発明に係る画像形成装置の構成及び処理の単なる一例に過ぎず、本発明に係る画像形成装置の構成及び処理を上記に示した内容に限定するものではない。
【図面の簡単な説明】
【００６１】
【図１】複合機を概略的に示すブロック図である。
【図２】複合機の詳細な構成を示すブロック図である。
【図３】複合機の動作を示すフローチャートである。
【図４】複合機によるコピー機能実行時の処理を示すフローチャートである。
【図５】破壊パターン挿入部による原稿画像破壊処理を示す図である。
【図６】複合機によるスキャナ機能実行時の処理を示すフローチャートである。
【図７】（Ａ）（Ｂ１ａ）（Ｂ１ｂ）（Ｂ２）は、スキャナ機能の実行時に複合機が複数の原稿画像をＬＡＮ通信部により通信させる通信結果を示す図である。
【図８】複合機によるファクシミリ機能実行時の処理を示すフローチャートである。
【符号の説明】
【００６２】
１          複合機
２          原稿読取部
２１        自動原稿給紙ユニット
２２        スキャナユニット
３          画像形成機構
３１        画像形成部
３２        定着部
４          制御装置
４１        コピー機能制御部
４２１      スキャナ機能制御部
４２１ａ    モード記憶部
４２２      ファクシミリ機能制御部
４３        画像処理部
４３１      記憶部
４３２      判定部
４３３      破壊パターン挿入部
４４        報知制御部
４５        機能切替部
５          通信部
５１        ＬＡＮ通信部
５２        ファクシミリ通信部
６          操作パネル
７          パソコン
８          ファクシミリ装置
【図１】
2009010744.tif 000003
【図２】
2009010744.tif 000004
【図３】
2009010744.tif 000005
【図４】
2009010744.tif 000006
【図５】
2009010744.tif 000007
【図６】
2009010744.tif 000008
【図７】
2009010744.tif 000009
【図８】
2009010744.tif 000010